(57)【要約】【課題】  本発明は置き忘れた場合でも容易に発見できる眼鏡を提供するものである。【解決手段】  眼鏡であって、眼鏡フレームに設けられ、報音部と、識別コードを受信する受信部と、該受信部によって受信した識別コードが記憶部に記憶された識別コードと一致することを判断する識別部と、識別コードの一致を判断すると、前記報音部を駆動し、外部に報音する制御部と、を備えることを特徴とする。【選択図】  図１
2016035510.tif 000002
【特許請求の範囲】
【請求項１】
眼鏡フレームに設けられ、
報音部と、
識別コードを受信する受信部と、
該受信部によって受信した識別コードが記憶部に記憶された識別コードと一致することを判断する識別部と、
該識別コードの一致を判断すると、前記報音部を駆動し、外部に報音する制御部と、
を備えることを特徴とする眼鏡。
【請求項２】
前記眼鏡フレームには、発光部も設けられていることを特徴とする請求項１に記載の眼鏡。
【請求項３】
前記識別コードを含む信号は携帯電話から送信されることを特徴とする請求項１、又は２に記載の眼鏡。
【請求項４】
前記識別コードを含む信号は専用の送信機から送信されることを特徴とする請求項１、又は２に記載の眼鏡。
【請求項５】
前記受信部は前記識別コードを含む信号が電磁波の場合ル−プアンテナ等のアンテナ素子であり、超音波信号の場合には超音波マイクロフォンであり、光信号である場合には受光素子であることを特徴とする請求項１、２、３、又は４に記載の眼鏡。
【発明の詳細な説明】
【技術分野】
【０００１】
本発明は置き忘れた場合でも容易に探し出すことができる眼鏡に関する。
【背景技術】
【０００２】
今日眼鏡は多くの人に使用されている。近視や老眼の人のみならず、紫外線から目を守るサングラスや、粉塵等から目を保護する作業用の防護眼鏡の如く広く使用されている。通常、眼鏡は使用しないとき、例えば眼鏡ケースに入れておくが、実際にはテーブルや机、サイドボード等の上に置いてしまう場合も多い。
【０００３】
眼鏡の保管についてはこのような習慣があるため、眼鏡を置き忘れ、眼鏡を使用したい時、眼鏡探しに苦労する場合も多い。
特許文献１はコンタクトレンズに金属微粒子や磁性粉を混在させ、コンタクトレンズを紛失した際、磁石性の探査具で探す発明を開示する。
【先行技術文献】
【特許文献】
【０００４】
【特許文献１】特開２００３−１９５２３０号公報
【発明の概要】
【発明が解決しようとする課題】
【０００５】
しかしながら、上記特許文献１はコンタクトレンズを紛失した場合であり、しかも磁石性の探査具を使用する為、探せる範囲は極めて狭く、眼鏡を置き忘れた場合のように、部屋全体や家のなか全体を探す場合には適さない。
【０００６】
そこで、本発明は置き忘れた場合でも容易に発見できる眼鏡を提供するものである。
【課題を解決するための手段】
【０００７】
上記課題は第１の発明によれば、眼鏡フレームに設けられ、報音部と、識別コードを受信する受信部と、該受信部によって受信した識別コードが記憶部に記憶された識別コードに一致することを判断する識別部と、識別コードの一致を判断すると、前記報音部を駆動し、外部に報音する制御部と、を備える眼鏡を提供することによって達成できる。
【０００８】
上記課題は第２の発明によれば、前記眼鏡フレームには、発光部も設けられている眼鏡を提供することによって達成できる。
【０００９】
上記課題は第３の発明によれば、前記識別コードを含む信号は携帯電話から送信される眼鏡を提供することによって達成できる。
【００１０】
上記課題は第４の発明によれば、前記識別コードを含む信号は専用の送信機から送信される眼鏡を提供することによって達成できる。
【００１１】
上記課題は第５の発明によれば、前記受信部は前記識別コードを含む信号が電磁波の場合ル−プアンテナ等のアンテナ素子であり、超音波信号の場合には超音波マイクロフォンであり、光信号である場合には受光素子である眼鏡を提供することによって達成できる。
【発明の効果】
【００１２】
本発明によれば、眼鏡を何処かに置き忘れた場合でも所有者は携帯電話や専用の送信機を操作することによって容易に眼鏡を探し出すことができる。
【図面の簡単な説明】
【００１３】
【図１】本実施形態の眼鏡の全体構成図であり、発見が容易な眼鏡の全体構成図である。
【図２】発光報知装置の取り付け構成を説明する図であり、（ａ）はテンプルの側面に沿って所定長の発光報知装置を貼着した状態を示す図であり、（ｂ）はテンプルの内部に所定長の発光報知装置を嵌入して取り付けた状態を示す図である。
【図３】発光報知装置の内部回路を説明する図である。
【図４】眼鏡の発光部が発光し、報音部を駆動して所有者に眼鏡の位置を報知する状態を示す図である。
【発明を実施するための形態】
【００１４】
以下、本発明の実施形態を図面に基づいて詳細に説明する。
図１は本実施形態の眼鏡の全体構成図であり、発見が容易な眼鏡の全体構成図である。同図において、眼鏡１は左右のレンズ２ａ、２ｂとフレーム３で構成されている。左右のレンズ２ａ、２ｂは、夫々リム４ａ、４ｂによってフレーム３に固定されている。また、左右のレンズ２ａ、２ｂはブリッジ５及びワタリ６によって一定の間隔に設定され、蝶番（ヒンジ）７ａ、７ｂによって、テンプル８ａ、８ｂに回動自在に取り付けられている。
【００１５】
テンプル８ａは眼鏡１の右側の蝶番（ヒンジ）７ａから人の右耳に掛かるモダン９ａに至る部分であり、テンプル８ｂは眼鏡１の左側の蝶番（ヒンジ）７ｂから人の左耳に掛かるモダン９ｂに至る部分である。そして、テンプル８ｂには本例の眼鏡１を容易に発見する為の発光報知装置１０が設けられている。
【００１６】
図２は発光報知装置１０の取り付け構成を説明する図である。同図（ａ）はテンプル８ｂの側面に沿って所定長の発光報知装置１０（１０ａ）を貼着した構造であり、同図（ｂ）はテンプル８ｂの内部に所定長の発光報知装置１０（１０ｂ）を嵌入して取り付けた構造である。また、何れの発光報知装置１０（１０ａ、１０ｂ）においても発光部１１及び報音部１２が設けられている。
【００１７】
図３は発光報知装置１０（１０ａ、１０ｂ）の内部回路を説明する図である。１５は外部信号を受信する為のアンテナである。アンテナ１５は外部信号が電磁波の場合はル−プアンテナ等のアンテナ素子、超音波信号の場合には超音波マイクロフォン、また光信号である場合には受光素子となる。
【００１８】
アンテナ１５によって受信された信号は受信回路１６により適宜選択、増幅され、復調回路１７により復号される。この復号信号は、例えば所有者を識別するコ−ド信号であり、識別回路１８はこの識別信号を記憶装置１９が記憶する所有者情報と照合し、両者が一致する場合には発光部１１及び報音部１２を駆動する。尚、電池２０によって上記回路に電源が供給され、電池２０が２次電池の場合には、不図示の充電用コネクタを発光報知装置１０（１０ａ、１０ｂ）に設け、必要に応じて電池２０を充電することができる。
【００１９】
例えば、眼鏡１を家の何処に置き忘れた場合、所有者は携帯電話の所定のキーを操作することによって、例えば所定の識別コードを含む信号を送信する。眼鏡１のアンテナ１５はこの信号を検出すると、復調回路１７によって識別コードを読み出し、識別回路１８によって記憶装置１９に記憶された識別信号との一致を判断し、発光部１１を発光させ、且つ報音部１２を駆動して所有者に眼鏡１の位置を報知する。図４は眼鏡１の発光部１１が発光し、報音部１２を駆動して所有者に眼鏡１の位置を報知している状態を示す図である。
【００２０】
以上のように、本例によれば、眼鏡１を何処かに置き忘れた場合でも所有者は携帯電話を操作することによって容易に眼鏡１の置き忘れ位置を知ることができる。
【００２１】
尚、本例においては携帯電話機と眼鏡１との間で通信を行う構成としたが、専用の発信機を設け、この発信機を操作して眼鏡１に識別コードを含む信号を送信する構成としてもよい。また、本実施形態の説明では、眼鏡１を探す場合について説明したが、眼鏡１に限らず、車の鍵や部屋の鍵等の日常置き忘れし易い物品について同様に発光報知装置１０を備える構成としてもよい。
【００２２】
また、専用の無線タグを前述の発光報知装置１０に使用する構成としてもよい。この場合、無線タグにはシリアル番号が設定されており、このシリアル番号を前述の識別コードとして使用することができる。
【００２３】
また、本実施形態の眼鏡１では発光報知装置１０を眼鏡１のテンプル８ｂに設けたが、反対側のテンプル８ａに設ける構成としてもよく、更にテンプル８ａ又は８ｂ以外の位置に設ける構成としてもよい。
【符号の説明】
【００２４】
１・・・眼鏡
２ａ、２ｂ・・レンズ
３・・・フレーム
４ａ、４ｂ・・リム
５・・・ブリッジ
６・・・ワタリ
７ａ、７ｂ・・蝶番（ヒンジ）
８ａ、８ｂ・・テンプル
９ａ、９ｂ・・モダン
１０、１０ａ、１０ｂ・・発光報知装置
１１・・発光部
１２・・報音部
１５・・アンテナ
１６・・受信回路
１７・・復調回路
１８・・識別回路
１９・・記憶装置
２０・・電池
【図１】
2016035510.tif 000003
【図２】
2016035510.tif 000004
【図３】
2016035510.tif 000005
【図４】
2016035510.tif 000006